(57)【特許請求の範囲】
【請求項１】
板状本体と、板状蓋部材と、一対の板状ガイド部材と、一対の板バネ状係止部材と、を含み、
ＬＥＤ照明器具のカバー部材への嵌合方向において、
前記板状本体の前記嵌合方向の上流側の端部から前記板状本体に対し垂直方向に起立した状態で前記板状蓋部材が配置され、
前記板状本体の前記嵌合方向と前記板状本体の水平方向で直交する方向の両端側に、前記直交方向の外側に突き出す状態で前記一対の板状ガイド部材の各板状ガイド部材が配置され、
前記板状本体の前記嵌合方向と前記板状本体の水平方向で直交する方向の両端側に、前記板状蓋部材の起立方向とは逆方向に前記板バネ状係止部材の折り返し端部が突き出した状態で、前記一対の板バネ状係止部材の各板バネ状係止部材が配置されていることを特徴とするＬＥＤ照明器具用取り付け具。
【請求項２】
さらに、突起部材を含み、                   
前記突起部材は、前記板状蓋部材から前記嵌合方向に突き出す状態で配置されており、
前記突起部材は、前記ＬＥＤ照明器具のベース部材裏面と当接可能な当接部を含み、
前記当接部には、前記ベース部材裏面と当接した状態で前記ベース部材裏面と接合するためのねじ止め孔が設けられている請求項１記載のＬＥＤ照明器具用取り付け具。
【請求項３】
前記板状本体及び前記突起部材の少なくとも一方には、配線貫通孔が設けられている請求項２記載のＬＥＤ照明器具用取り付け具。
【請求項４】
さらに、カバー当接部材を含み、
前記カバー当接部材は、前記板状蓋部材から前記嵌合方向に突き出す状態で配置されており、
前記カバー当接部材は、前記カバー部材の内面と当接可能である請求項１〜３のいずれか一項に記載のＬＥＤ照明器具用取り付け具。
【請求項５】
前記板状本体は、突起部を含み、
前記板状本体の前記嵌合方向の上流側の端部及び下流側の端部にそれぞれ少なくとも一つの前記突起部が配置されている請求項１〜４のいずれか一項に記載のＬＥＤ照明器具用取り付け具。
【請求項６】
ＬＥＤモジュールと、ベース部材と、カバー部材と、一対の取り付け具と、を含み、
前記ＬＥＤモジュールは、複数のＬＥＤと、前記複数のＬＥＤを実装する実装面を有するＬＥＤ基板と、を含み、
前記ベース部材は、前記ＬＥＤモジュールを搭載する搭載部と、前記カバー部材に取り付けるカバー部材取り付け部とを含み、
前記カバー部材は、前記実装面を覆うカバー本体部と、前記ベース部材に取り付ける一対のベース部材取り付け部と、を含み、
前記カバー部材取り付け部は、レール状であり、前記ベース部材取り付け部は、溝状であり、
前記ＬＥＤモジュールは、前記ベース部材の搭載部に搭載されており、
前記カバー部材取り付け部が前記ベース部材取り付け部に嵌合された状態で前記ベース部材が配置されており、
さらに、前記取り付け具が請求項１〜５のいずれか一項に記載のＬＥＤ照明器具用取り付け具であり、
前記一対の取り付け具の各取り付け具は、それぞれ前記板状ガイド部材を介して前記カバー部材の前記一対のベース部材取り付け部の各ベース部材取り付け部の端部に嵌合された状態で取り付けられていることを特徴とするＬＥＤ照明ユニット。
【請求項７】
ＬＥＤ照明ユニットと、器具本体とを含み、
前記器具本体は、前記ＬＥＤ照明ユニットを搭載する搭載部と、前記搭載部の両端側に前記ＬＥＤ照明ユニットを係止するための係止穴と、を含み、
前記ＬＥＤ照明ユニットが、請求項６記載のＬＥＤ照明ユニットであり、
前記一対の板バネ状係止部材の各板バネ状係止部材が、前記係止穴で係止されていることにより取り外し可能に前記ＬＥＤ照明ユニット及び前記器具本体が取り付けられていることを特徴とするＬＥＤ照明器具。
【発明の詳細な説明】
【技術分野】
【０００１】
本発明は、ＬＥＤ照明器具用取り付け具、ＬＥＤ照明ユニット、及びＬＥＤ照明器具に関する。
【背景技術】
【０００２】
家庭用及び施設用等の照明器具として、直管型蛍光ランプを用いた照明器具が広く用いられている（特許文献１〜４）。前記直管型蛍光ランプを用いた照明器具は、例えば、直管型蛍光ランプが、放電媒体を封入したガラス管と、前記ガラス管の両端に設けられた口金とを含み、前記口金には突出した棒状のコネクタ（電子ピン）を含む。そして、前記コネクタは、蛍光ランプ用器具本体に取り付けられたソケット取り付け台により係止した一対のソケットに設けられた孔に挿入される。これにより、前記直管型蛍光ランプを前記器具本体に固定することができる。そして、前記ソケットにより、前記直管型蛍光ランプと前記器具本体とが電気的に接続されて、前記ガラス管内に配置された電極に電力を供給する。
【０００３】
一方、近年、蛍光ランプ等に代えて発光ダイオード（ＬＥＤ）を用いたＬＥＤランプが普及しつつある。ＬＥＤランプは、蛍光ランプと比較して、例えば、以下の優れた特徴を有する。すなわち、まず、ＬＥＤランプは、蛍光ランプの寿命と比較して非常に寿命が長いという特徴がある。そして、ＬＥＤランプは、蛍光ランプと比較して消費電力が低く、優れた省電力効果を有するという特徴がある。そして、ＬＥＤランプは、蛍光ランプと比較して発光の応答時間が非常に短く、優れた応答性を有する特徴がある。
【０００４】
ここで、前記蛍光ランプに代えてＬＥＤランプに置き換えた一例として、例えば、特許文献５記載の照明器具が挙げられる。特許文献５記載の照明器具のＬＥＤランプは、ＬＥＤモジュールをパイプ状の管内部に配置し、電子ピンを取り付けたカップ状の口金を管の両端に嵌めつけて塞いだものである。前記照明器具では、前記ＬＥＤランプの外形を蛍光ランプの外形と類似の形状、寸法に設定することにより、蛍光ランプに代えて前記ＬＥＤランプを蛍光ランプ用器具に取り付けることができるものとなっている。そして、前記照明器具は、前記ＬＥＤランプを所定の角度回転させることにより、前記ソケットと着脱可能であり、前記ＬＥＤランプを前記器具から取り外すことができる。
【先行技術文献】
【特許文献】
【０００５】
【特許文献１】特開平８−１８０７２０号公報
【特許文献２】特開平６−１６８６１２号公報
【特許文献３】公開実用昭６２−１７１１０７号公報
【特許文献４】公開実用昭６２−２０１４２０号公報
【特許文献５】特開２００４−３３５４２６号公報
【発明の概要】
【発明が解決しようとする課題】
【０００６】
しかしながら、特許文献５記載の照明器具では、ＬＥＤランプを前記ソケットに挿入するための口金を、前記管の両端に設ける必要があり、デザインの制約がある。また、前記ＬＥＤランプを所定角度回転させることにより、コネクタを前記ソケットに挿入または取り外す必要が有るため、ＬＥＤランプを前記器具に取り付けることも容易でないという問題がある。
【０００７】
そこで、本発明は、前記ソケットがないため、薄型化が図れ、デザインの幅が広がるとともに、ＬＥＤ照明ユニットを、一般的な蛍光ランプの取り付け器具に適用可能であり、しかも簡易且つワンタッチで取り付け可能なＬＥＤ照明器具用取り付け具、ＬＥＤ照明ユニット、及びＬＥＤ照明器具（照明器具）の提供を目的とする。
【課題を解決するための手段】
【０００８】
前記目的を達成するために、本発明のＬＥＤ照明器具用取り付け具は、
板状本体と、板状蓋部材と、一対の板状ガイド部材と、一対の板バネ状係止部材と、を含み、
ＬＥＤ照明器具のカバー部材への嵌合方向において、
前記板状本体の前記嵌合方向の上流側の端部から前記板状本体に対し垂直方向に起立した状態で前記板状蓋部材が配置され、
前記板状本体の前記嵌合方向と前記板状本体の水平方向で直交する方向の両端側に、前記直交方向の外側に突き出す状態で前記一対の板状ガイド部材の各板状ガイド部材が配置され、
前記板状本体の前記嵌合方向と前記板状本体の水平方向で直交する方向の両端側に、前記板状蓋部材の起立方向とは逆方向に前記板バネ状係止部材の折り返し端部が突き出した状態で、前記一対の板バネ状係止部材の各板バネ状係止部材が配置されていることを特徴とする。
【０００９】
本発明のＬＥＤ照明ユニットは、
ＬＥＤモジュールと、ベース部材と、カバー部材と、一対の取り付け具と、を含み、
前記ＬＥＤモジュールは、複数のＬＥＤと、前記複数のＬＥＤを実装する実装面を有するＬＥＤ基板と、を含み、
前記ベース部材は、前記ＬＥＤモジュールを搭載する搭載部と、前記カバー部材に取り付けるカバー部材取り付け部とを含み、
前記カバー部材は、前記実装面を覆うカバー本体部と、前記ベースに取り付ける一対のベース部材取り付け部と、を含み、
前記カバー部材取り付け部は、レール状であり、前記ベース部材取り付け部は、溝状であり、
前記ＬＥＤモジュールは、前記ベース部材の搭載部に搭載されており、
前記カバー部材取り付け部が前記ベース部材取り付け部に嵌合された状態で前記ベース部材が配置されており、
さらに、前記取り付け具が本発明の前記ＬＥＤ照明器具用取り付け具であり、
前記一対の取り付け具の各取り付け具は、それぞれ前記板状ガイド部材を介して前記カバー部材の前記一対のベース部材取り付け部の各ベース部材取り付け部の端部に嵌合された状態で取り付けられていることを特徴とする。
【００１０】
本発明のＬＥＤ照明器具（照明器具）は、
ＬＥＤ照明ユニットと、器具本体とを含み、
前記器具本体は、前記ＬＥＤ照明ユニットを搭載する搭載部と、前記搭載部の両端側に前記ＬＥＤ照明ユニットを係止するための係止穴と、を含み、
前記ＬＥＤ照明ユニットが、本発明の前記ＬＥＤ照明ユニットであり、
前記一対の板バネ状係止部材の各板バネ状係止部材が、それぞれ前記係止穴で係止されていることにより取り外し可能に前記ＬＥＤ照明ユニット及び前記器具本体が取り付けられていることを特徴とする。
【発明の効果】
【００１１】
本発明のＬＥＤ照明器具用取り付け具、ＬＥＤ照明ユニット、及びＬＥＤ照明器具は、ソケットがないため薄型化が図れ、デザインの幅が広がる。また、本発明は、ＬＥＤ照明ユニットを、従来の蛍光灯の取り付け器具に適用可能であり、しかも簡易且つワンタッチで取り付け可能である。また、本発明によれば、安価なＬＥＤ照明ユニット及び照明器具を提供可能である。
【図面の簡単な説明】
【００１２】
【図１】図１は、本実施形態のＬＥＤ照明器具の一例を示す分解斜視図である。
【図２】図２は、本実施形態のＬＥＤ照明ユニットの一例を示す斜視図である。
【図３】図３は、本実施形態のＬＥＤ照明器具用取り付け具（取り付け具）の一例を示す図である。
【図４】図４は、本実施形態の器具本体の一例を示す図である。
【図５】図５は、本実施形態の取り付け具の各板バネ状係止部材を、器具本体の各係止穴に係止する方法の一例を示す説明図である。
【図６】図６は、本実施形態の取り付け具の別の一例を示す図である。
【図７】図７は、本実施形態のＬＥＤ照明器具の別の一例を示す平面斜視図である。
【発明を実施するための形態】
【００１３】
以下、本発明のＬＥＤ照明器具取り付け具、ＬＥＤ照明ユニット、及びＬＥＤ照明器具について、図面を参照して詳細に説明する。ただし、本発明は、以下の説明に限定されない。なお、以下の図１から図７において、同一部分には、同一符号を付し、その説明を省略する場合がある。また、図面においては、説明の便宜上、各部の構造は適宜簡略化して示す場合があり、各部の寸法比等は、実際とは異なり、模式的に示す場合がある。
【００１４】
［実施形態１］
［ＬＥＤ照明器具］
図１は、本実施形態のＬＥＤ照明器具の一例を示す分解斜視図である。同図に示すように、本実施形態のＬＥＤ照明器具２０００は、ＬＥＤ照明ユニット１０００と、器具本体３００と、を主要構成要素として含む。尚、同図では、ＬＥＤ照明器具２０００の左側のみを示しているが、以下で説明するように、ＬＥＤ照明ユニット１０００は、図２に示すＬＥＤ照明ユニット１０００と同一であり、器具本体は、図４に示す器具本体３００と同一である。以下では、まず、ＬＥＤ照明器具２０００の構成要素であるＬＥＤ照明ユニット１０００の構成について説明し、次に本実施形態の器具本体３００の構成について説明する。
【００１５】
［ＬＥＤ照明ユニット］
図２は、本実施形態のＬＥＤ照明ユニットの一例を示す斜視図である。尚、同図のＬＥＤ照明ユニット１０００は、図１のＬＥＤ照明ユニット１０００と同一であり、説明の便宜上、後述の取り付け具１００を、カバー部材１３０から取り外した状態を示す。同図に示すＬＥＤ照明ユニット１０００は、ＬＥＤモジュール１１０と、ベース部材１２０と、カバー部材１３０と、一対のＬＥＤ照明器具用取り付け具（取り付け具）１００とを主要構成要素として含む。尚、以下で説明する取り付け具１００は、本発明の前記ＬＥＤ照明器具用取り付け具の説明でもある。以下では、まず、取り付け具１００の構成について説明し、次に、ＬＥＤモジュール１１０、ベース部材１２０、及びカバー部材１３０の構成について説明する。
【００１６】
［取り付け具］
図３は、本実施形態の取り付け具の一例を示す図であり、図２に示す取り付け具１００と同一である。同図（Ａ）は、下面図であり、同図（Ｂ）は、正面図であり、同図（Ｃ）は、側面図であり、同図（Ｄ）は、正面斜視図であり、同図（Ｅ）は、下面斜視図である。同図に示す取り付け具１００は、板状本体１０と、板状蓋部材２０と、一対の板状ガイド部材３０と、一対の板バネ状係止部材４０と、を主要な構成要素として含む。
【００１７】
以下、「嵌合方向」とは、取り付け具１００が、ＬＥＤ照明器具のカバー部材と嵌合する方向をいい、同図の矢印Ｘ１で示す方向をいう。また、「板状本体の嵌合方向」とは、同図の矢印Ｘで示す方向をいう。尚、同図の通り、矢印Ｘ１及び矢印Ｘは、同一方向（平行）である。また、「板状本体の嵌合方向と板状本体の水平方向で直交する方向」とは、板状本体１０の水平面（方向）において、嵌合方向Ｘと直交する方向をいい、同図の矢印Ｙで示す方向をいう。
【００１８】
（板状本体）
板状本体１０は、同図に示すように、例えば、略長方形形状である。但し、板状本体１０の形状は、これに限定されず、任意の形状を有しても良い。
【００１９】
（板状蓋部材）
板状蓋部材２０は、板状本体１０の嵌合方向Ｘの上流側の端部から、板状本体１０に対し垂直方向に起立した状態で配置されている。以下では、便宜上、前記起立方向を上方向（上方）ともいい、その反対方向を下方向（下方）ともいう。前記上流側の端部は、同図では、板状本体１０の側面Ｌ１に相当する。同図に示す板状蓋部材２０は、例えば、半円形状をしているが、本実施形態において、前記板状蓋部材の形状は、これに限定されず、ＬＥＤ照明器具のカバー部材の形状に応じて適宜変更しても良い。
【００２０】
（一対の板状ガイド部材）
一対の板状ガイド部材の各板状ガイド部材３０は、板状本体１０の嵌合方向Ｘと板状本体の水平方向で直交する方向Ｙの両端側に、直交方向Ｙの外側に突き出す状態で配置されている。前記「直交する方向Ｙの両端側」とは、前記直交する方向Ｙの板状本体１０の両端部（板状本体の側面Ｌ２）であっても良いし、板状本体１０の側面Ｌ２の上方であっても良い。各板状ガイド部材３０は、例えば、略逆Ｌ字形状をしているが、本実施形態において、前記各板状ガイド部材３０の形状は、直交方向Ｙの外側に突き出した形状を有していればこれに限定されない。前記直交方向Ｙの外側に突き出した部分が、ＬＥＤ照明器具のカバー部材の後述の溝部と嵌合することにより、各板状ガイド部材３０を前記カバー部材に取り付けることができる。尚、本発明において、取り付け具１０の構成要素として、前記カバー部材は含まない。
【００２１】
（板バネ状係止部材）
一対の板バネ状係止部材の各板バネ状係止部材４０は、板状本体１０の嵌合方向Ｘと板状本体の水平方向で直交する方向Ｙの両端側に配置されている。すなわち、同図に示すように、例えば、各板バネ状係止部材４０の一端が、板状本体１０の側面Ｌ２及び下面の直交方向Ｙの端部を支持するようにして配置されている。尚、各板バネ状係止部材４０の配置はこれに限定されず、例えば、板状本体１０の側面Ｌ２のみを支持するように配置されていても良い。また、各板バネ状係止部材４０は、板の前記一端から他端に向かう間に、前記板を折り返した形状をしており、前記板を折り返した端部（折り返し端部）を有している。そして、折り返し端部４１が、板状蓋部材２０の起立方向とは逆方向に突き出した状態で配置されている。尚、同図では、各板バネ状係止部材４０の折り返し端部４１は、カーブした形状をしているが、これに限定されず、例えば、平坦形状であっても良い。
【００２２】
さらに、本実施形態の各板バネ状係止部材４０は、同図に示すように、それらの他端４２が、例えば、板状本体１０から遊離した状態で位置している。そして、他端４２の先端面は、同図（Ｄ）に示すように、例えば、平坦面４２Ａ及びテーパ面４２Ｂを有する。
【００２３】
本実施形態において、取り付け具１００の材質は、特に制限されず、例えば、弾性プラスチック、弾性ゴム等が挙げられ、これらの中でも透光性を有するものが好ましい。取り付け具１００が、透光性を有していれば、ＬＥＤ照明ユニット１０００の端面からも光が放出される。また、取り付け具１００の各構成要素を一体的に形成しても良いし、各構成要素を接合することにより形成しても良い。
【００２４】
次に、本実施形態のＬＥＤ照明ユニットの構成要素であるＬＥＤモジュール１１０、ベース部材１２０、及びカバー部材１３０について図２を用いて説明する。同図のＬＥＤ照明ユニット１０００は、前述で説明した取り付け具１００にＬＥＤモジュール１１０と、ベース部材１２０と、カバー部材１３０と、を含む。但し、本実施形態において、同図に示すように、任意の構成要素として受電手段１４０を含んでよい。尚、同図のＬＥＤ照明ユニット１０００の両端は同じ形状であるため、同図では、ＬＥＤ照明ユニット１０００の左側のみを示す。
【００２５】
［ＬＥＤモジュール］
ＬＥＤモジュール１１０は、同図に示すように、複数のＬＥＤ（発光ダイオード）１１１と、複数のＬＥＤ１１１を実装する実装面を有するＬＥＤ基板１１２と、を含む。ＬＥＤ基板１１２は、同図に示すように、例えば、略長方形形状をしており、複数のＬＥＤ１１１が、ＬＥＤ基板１１２の実装面上に長手方向に沿って一列に配置している。尚、本実施形態のＬＥＤ照明ユニット１０００は、ＬＥＤモジュール１１０が１つであっても良いし、複数のＬＥＤモジュール１１０を長手方向に沿って直列に接続した状態で複数あっても良い。
【００２６】
［ベース部材］
ベース部材１２０は、同図に示すように、ＬＥＤモジュール１１０を搭載する搭載部１２１と、カバー部材１３０に取り付ける一対のカバー部材取り付け部１２２と、前記両者を連結する一対の側壁部１２３と、を含む。尚、一対の側壁部１２３は、本実施形態のＬＥＤ照明ユニットのベース部材において、任意の構成要素である。同図では、搭載部１２１は、ＬＥＤモジュール１１０の形状に合せて略長方形形状をしている。また、一対のカバー部材取り付け部の各カバー部材取り付け部１２２は、後述のカバー部材１３０のベース部材取り付け部の形状に合せてレール状の形状をしている。本実施形態のベース部材１２０は、例えば、一対の側壁部の各側壁部１２３の短手方向の両端に、それぞれ搭載部１２１とカバー部材取り付け部１２２とが、各側壁部１２３の水平方向に対し略垂直に配置されている。この場合、ベース部材１２０の形成方法としては、例えば、一枚の金属板を、折り曲げることにより、搭載部１２１、一対の側壁部１２３、及び一対のカバー部材取り付け部１２２を一体的に形成してもよい。また、本実施形態のベース部材１２０は、同図に示すように、例えば、搭載部１２１の長手方向の両端には、それぞれ前記長手方向の両端の外側に突出した状態で一対の突出部１２４が配置されていてもよい。そして、一対の突出部の各突出部１２４には、ベース部材１２０と、取り付け具１００とを接合するためのねじ止め孔１２５を設けてもよい。
【００２７】
［カバー部材］
カバー部材１３０は、前記実装面を覆うカバー本体１３１とベース部材に取り付ける一対のベース部材取り付け部１３２とを含む。カバー本体１３１は、例えば、同図に示すように、断面形状が、半円状の形状をしているが、本発明において、カバー本体１３１の形状は、前記実装面を覆うものであれば、これに限定されない。一対のベース部材取り付け部１３２は、カバー本体１３１の両端に配置されている。一対のベース部材取り付け部の各ベース部材取り付け部１３２は、同図に示すように、カバー本体１３１の長手方向に沿って二枚の板状部材が一定の間隔をおいて配置されている。これにより、ベース部材取り付け部１３２は、溝状の形状を有している。そして、ベース部材１２０のレール状の各カバー部材取り付け部１２２が、前記溝に嵌合する事により、ベース部材１２０をカバー部材１３０に取り付けることができる。そして、ベース部材１２０とカバー部材１３０は、同図に示す矢印方向にスライド可能に取り付け可能であり、本実施形態のＬＥＤ照明ユニット１０００では、ベース部材１２０は、カバー部材１３０の中央部に配置されている。そして、前述の通り、一対の取り付け具１００が、カバー部材１３０の長手方向の両端側に配置されている。カバー部材１３０としては、例えば、光を拡散可能な拡散カバー等が挙げられる。
【００２８】
［受電手段］
受電手段１４０は、後述の器具本体を介して電力の供給を受ける。受電手段１４０は、同図に示すように、例えば、ベース部材１２０の裏面側に２つ設けられている。各受電手段１４０は、配線１４１と、電子ピン（図示せず）を有する受電コネクタ１４２とを含み、前記裏面側から配線１４１が伸びており、配線１４１の端部に、受電コネクタ１４２が配置されている。受電コネクタ１４２は、器具本体側の後述の給電コネクタと接続可能であり、これにより、配線１４１を介してベース部材１２０側に設けられた電源回路（図示せず）に電力が供給される。これにより、各ＬＥＤモジュール１１０に電力が供給される。
【００２９】
本実施形態において、一対の取り付け具の各取り付け具１００と、カバー部材１３０とは、各取り付け具１００の一対の板状ガイド部材の各板状ガイド部材３０の直交方向Ｙの外側に突き出した部分が、カバー部材１３０に設けられた前記各溝に嵌合することにより取り付け具１００をカバー部材１３０に取り付けることができる。このようにして、本実施形態のＬＥＤ照明ユニットを組み立てることができる。
【００３０】
（器具本体）
次に、本実施形態の器具本体について説明する。図４に示す器具本体３００は、例えば、天井等に取り付けるための器具本体であり、図４（Ａ）は、器具本体３００の天井側から見た斜視図を示し、同図（Ｂ）は、器具本体３００の天井側から見た場合の背面図を示す。
【００３１】
器具本体３００は、同図に示すように、ＬＥＤ照明ユニット１０００を搭載する搭載部３０１と、搭載部３０１の両端側に設けられたＬＥＤ照明ユニット１０００を係止するための一対の係止穴３０２と、を主要構成要素として含み、任意の構成要素として給電手段３１４を含む。搭載部３０１は、同図に示すように、例えば、長手方向の両端がそれぞれ起立した状態で配置されている。また、搭載部３０１は、同図に示すように、例えば、短手方向の両端がそれぞれ前記起立方向とは反対の方向に折り曲げられた略コの字形状をしている。
【００３２】
本実施形態において、前記器具本体の搭載部３０１の材質としては、例えば、冷間圧延鋼板（ＳＰＣＣ）等の金属板が挙げられ、さらに、前記金属板に絶縁性を付与するために、例えば、ポリエステル等の塗装材料で前記金属板の表面を覆っても良い。
【００３３】
照明器具３００は、同図に示すように、さらに、電源を差し込むための電源プラグ３１０、電源回路を収納したケース３１１、並びに配線３１２及び前述の各受電コネクタ１４２を挿入可能な給電コネクタ３１３を有する一対の給電手段３１４を含む。ケース３１１は、搭載部３０１の搭載面の裏面側に設けられており、前記裏面側から各配線３１２が伸びており、配線３１２の端部に給電コネクタ３１３が設けられている。
【００３４】
尚、本実施形態において、本実施形態の取り付け具に取り付けられる器具本体は、同図の器具本体に限定されず、ＬＥＤ照明ユニット１０００を搭載する搭載部と、一対の係止穴を備えていれば、一般的な蛍光ランプ用器具本体であっても良い。また、本実施形態において、器具本体は、例えば、特許文献１〜４に記載の器具本体のように反射板を有しても良く、前記反射板に前記係止穴を設けても良い。  
【００３５】
次に、本実施形態の取り付け具１００の各板バネ状係止部材４０を、器具本体３００の各係止穴３０２に係止する方法の一例について、図５の説明図を用いて説明する。すなわち、まず、同図（Ａ）に示すように、各板バネ状係止部材４０の折り返し端部４１を各係止穴３０２に貫通させるようにして差し込む。前記差し込んだ各板バネ状係止部材４０は、同図（Ｂ）に示すように、他端４２の平坦面４２Ａが、器具本体３００の前記搭載部の裏面と当接し、テーパ面４２Ｂは、係止穴３０２の縁側と当接する。このようにして、ＬＥＤ照明ユニット１０００を器具本体３００に取り付けることにより、ＬＥＤ照明器具２０００を組み立てることができる。ここで器具本体３００に取り付けたＬＥＤ照明ユニット１０００は、板バネ状係止部材４０の弾性力により、係止穴３０２から取り外すことが可能である。
【００３６】
このように、本実施形態の取り付け具１００は、各板状ガイド部材３０を介して、カバー部材１３０と取り付け可能であり、各板バネ状係止部材４０により、蛍光ランプ用の器具本体３００と取り付け可能である。このため、本実施形態では、例えば、特許文献５に記載のように、まず、器具本体にソケットを取り付ける必要もなく、前記ＬＥＤ照明ユニットに前記ソケットと嵌合するためのコネクタとを取り付ける必要もなく、前記コネクタを回転させることによりソケットから取り外す必要もない。このため、本実施形態の取り付け具１００は、まず、ソケットがないため、特許文献５記載のＬＥＤランプのように、ソケットに挿入するための口金を設ける必要がないため、例えば、薄型化が図れ、デザインの幅が広がる。また、取り付け具１００は、ＬＥＤ照明ユニット１０００及び器具本体３００を、簡易且つワンタッチで取り付け可能である。しかも、本実施形態の取り付け具１００は、前述のように、器具本体にソケットを、ＬＥＤ照明ユニットに口金を設ける必要はないため、安価なＬＥＤ照明ユニット及び照明器具を提供可能である。
【００３７】
尚、本実施形態の取り付け具１００は、前述の通り、例えば、特許文献１〜４記載の照明ランプ用器具本体の場合には、ソケット及びソケット取り付け金具を器具本体から外し、器具本体及び反射板を固定手段により固定させると共に、反射板に設けられたソケット貫通孔に本実施形態の取り付け具を係止すればよい。これにより、特許文献１〜４記載の照明ランプ用器具本体であっても、本発明の取り付け具を取り付け可能である。
【００３８】
本実施形態において、取り付け具は、図６に示す取り付け具２００であっても良い。同図は、本実施形態の取り付け具の別の一例を示す図であり、同図（Ａ）は、下面図であり、同図（Ｂ）は、正面図であり、同図（Ｃ）は、側面図であり、同図（Ｄ）は、正面斜視図であり、同図（Ｅ）は、下面斜視図である。同図に示す取り付け具２００は、後述の複数の構成をとること以外は、図１に示す取り付け具１００と同一である。また、同図では、複数の構成をとるが、本実施形態において、例えば、前記複数の構成の内、例えば、一つ以上だけ有していても良い。
【００３９】
本実施形態において、取り付け具２００は、図６に示すように、さらに突起部材５０を構成要素として含んでも良い。突起部材５０は、ＬＥＤ照明器具のベース部材裏面と当接可能な当接部５１を含む。同図の突起部材５０は、当接部５１の短手方向の両端にテーパ面及び平坦面を有する一対の側壁５２を含むが、本実施形態において、一対の側壁５２は任意の構成要素であり、あってもなくても良い。そして、当接部５１には、ねじ止め孔５３が設けられている。これにより、ベース部材１２０及び取り付け具２００が、ベース部材１２０裏面と当接した状態で、前記ベース部材１２０裏面とねじにより接合可能である。このように、本実施形態において、ねじ止め孔５３を設けることにより、より安定にベース部材と取り付け具とを固定することが可能である。尚、本発明において、取り付け具２００の構成要素として、前記ベース部材１２０は含まない。
【００４０】
本実施形態において、同図の取り付け具２００は、板状本体１０及び突起部材５０には、配線貫通孔６０が設けられている。これにより、ベース部材の裏側から伸びた配線１４１を貫通させ、器具本体の前記搭載部の裏面側に受電手段１４０を移動させやすくなる。但し、本実施形態において、突起部材５０を設けない場合は、板状本体１０のみに設けられてもよい。
【００４１】
本実施形態において、同図の取り付け具２００は、カバー当接部材７０を含む。カバー当接部材は、板状蓋部材２０から前記嵌合方向Ｘ１に突き出す状態で配置されている。そして、カバー当接部材７０は、例えば、カバー部材１３０のカバー本体１３１の形状に対応した形状を有し、カバー部材１３０の内面と当接可能である。さらに、同図に示すように、カバー部材の各ベース部材取り付け部１３２の板の下側の板と当接可能な部材７１を含んでも良い。
【００４２】
本実施形態において、板状本体１０は、突起部１１を含んでも良い。突起部１１は、板状本体１０の前記嵌合方向の上流側の端部及び下流側の端部に、それぞれ二つの突起部１１が配置されている。尚、同図では、突起部１１は、前記上流側の端部及び前記下流側の端部にそれぞれ二つ配置されているが、それぞれ、少なくとも一つあれば、これに限定されない。これにより、取り付け具１００と器具本体３００とが係止した状態において、器具本体３００の各係止穴３０２の縁部と当接可能である。これにより、前記器具本体３００に係止した取り付け具２００が、器具本体３００の長手方向に移動する（ぶれる）ことを抑制できる。
【００４３】
図７は、取り付け具２００を有するＬＥＤ照明ユニット１２００を器具本体３００に取り付けたときのＬＥＤ照明器具（照明器具）３０００についての天井側から見た平面斜視図を示す。尚、ＬＥＤ照明ユニット１２００は、一対の取り付け具１００に代えて、一対の取り付け具２００を含むこと以外は、ＬＥＤ照明ユニット１０００と同一である。同図では図示していないが、ベース部材１２０のねじ止め孔１２５及び取り付け具２００のねじ止め孔５３を介して、ねじにより、ベース部材１２０と、取り付け具２００とが固定されている。また、同図に示すように、一対の受電手段１４０の配線１４１及び受電コネクタ１４２は、配線貫通孔６０を貫通しており、受電コネクタ１４２と、給電コネクタ（図示せず）とが、接続しやすい状態で位置している。また、板状本体１０の４つの突起部１１が、係止穴３０２の縁に当接している。これにより、取り付け具２００が、照明器具３０００の長手方向にぶれないように抑制することが可能となる。
【００４４】
本実施形態の照明器具は、例えば、台所用等の家庭用照明器具又は天井等に取り付けられる施設用等の照明器具として好適に使用する事が出来る。
【００４５】
以上、実施形態を参照して本発明を説明したが、本発明は、上記実施形態に限定されるものではない。本発明の構成や詳細には、本発明のスコープ内で当業者が理解しうる様々な変更をすることができる。
【符号の説明】
【００４６】
１０  板状本体
２０  板状蓋部材
３０  板状ガイド部材
４０  板バネ状係止部材
１００、２００  取り付け具
３００  器具本体
１０００、１２００  ＬＥＤ照明ユニット
２０００、３０００  ＬＥＤ照明器具
【図１】
0006414879.tif 000002
【図２】
0006414879.tif 000003
【図３】
0006414879.tif 000004
【図４】
0006414879.tif 000005
【図５】
0006414879.tif 000006
【図６】
0006414879.tif 000007
【図７】
0006414879.tif 000008